(57)【要約】      （修正有）【課題】矩形シートを糊付けすることなく好適に保持し得るとともに矩形シートの閲覧性にも優れた冊子（御朱印帳）を提供する。【解決手段】御朱印帳Ａは、御朱印シートＳ（矩形シート）を保持する保持体Ｈを有し、保持体は、保持体本体１の上端縁から連設され保持体本体の表面側に添設した上の表側被覆片２と、下端縁から連設され保持体本体の表面側に添設した下の表側被覆片４とを備える。上の表側被覆片は、左上及び右上の角部ＬＵ、ＲＵの何れか一方を表側から被覆し、下の表側被覆片は、左下及び右下の角部ＬＳ、ＲＳの何れか一方を表側から被覆するように構成されている。【選択図】図５
0003226091.tif 000002
【実用新案登録請求の範囲】
【請求項１】
矩形シートを保持し得る紙製の保持体を有した冊子であって、
前記保持体が、矩形状をなす保持体本体と、この保持体本体の上端縁から連設され前記保持体本体の表面側に添設した上の表側被覆片と、前記保持体本体の下端縁から連設され前記保持体本体の表面側に添設した下の表側被覆片とを備えたものであり、
前記保持体本体における左上、右上、左下、及び、右下の角部に、前記矩形シートの角部が挿入され得る左上、右上、左下、及び、右下の保持スリットが形成されたものであり、
前記上の表側被覆片が前記左上及び右上の角部の何れか一方を表側から被覆し得るものであり、
前記下の表側被覆片が前記左下及び右下の角部の何れか一方を表側から被覆し得るものである冊子。
【請求項２】
前記保持体が、前記保持体本体の上端縁から連設され前記保持体本体の裏面側に添設した上の裏側被覆片と、前記保持体本体の下端縁から連設され前記保持体本体の裏面側に添設した下の裏側被覆片とを備えたものであり、
前記上の表側被覆片が前記左上及び右上の角部の何れか一方を表側から被覆し得るものであり、前記上の裏側被覆片が前記左上及び右上の角部の他方を裏側から被覆し得るものであり、
前記下の表側被覆片が前記左下及び右下の角部の何れか一方を表側から被覆し得るものであり、前記下の裏側被覆片が前記左下及び右下の角部の他方を裏側から被覆し得るものである請求項１記載の冊子。
【請求項３】
前記保持体が、左右方向に複数連設されたものである請求項１又は２記載の冊子。
【請求項４】
矩形状をなす表表紙及び裏表紙を有したものであり、
前記表表紙と前記裏表紙との間に前記保持体が配設されている請求項１、２又は３記載の冊子。
【考案の詳細な説明】
【技術分野】
【０００１】
本考案は、冊子に関するものである。
【背景技術】
【０００２】
従来から、御朱印帳等に用いられる種々の冊子が知られている（例えば特許文献１参照）。
【０００３】
近時、御朱印（御城印と称されるものも含む）を発行する寺社や城等では、御朱印を書き記す作業負担の軽減を目的として、あらかじめ印や書を矩形状の用紙に書き記したもの（以下、「御朱印シート」という。）を準備しておき、日付を後書きした上で参拝者に提供するという方策が実施され始めている。
【０００４】
参拝者が入手した御朱印シートは、既知の御朱印帳に糊付けしたりプラスチック製のファイル等に収納したりすることにより、使用者によって保管・管理されているのが実態である。
【０００５】
ところが、御朱印シートを御朱印帳に糊付けしてしまうと、接着された御朱印シートを別の場所に移動させることが難しくなってしまう。
【０００６】
また、御朱印シートを取り扱わない寺社等かどうかは、その場所に参拝しなければわからないこともあるため、御朱印シート用のファイル等とは別に、従来通りの御朱印帳を携帯しなければならないという不便が生じ得る。
【０００７】
なお、以上の不具合は、御朱印シートに限られるものではなく、他の矩形シートを保管する場合においても同様に生じ得るものである。
【先行技術文献】
【特許文献】
【０００８】
【特許文献１】実用新案登録第３２２１９１２号公報
【考案の概要】
【考案が解決しようとする課題】
【０００９】
本考案は、このような課題に着目してなされたものであって、矩形シートを糊付けすることなく好適に保持し得るとともに当該矩形シートの閲覧性にも優れた冊子を提供することにある。
【課題を解決するための手段】
【００１０】
すなわち、本考案は次の構成をなしている。
【００１１】
請求項１に記載の考案は、矩形シートを保持し得る紙製の保持体を有した冊子であって、前記保持体が、矩形状をなす保持体本体と、この保持体本体の上端縁から連設され前記保持体本体の表面側に添設した上の表側被覆片と、前記保持体本体の下端縁から連設され前記保持体本体の表面側に添設した下の表側被覆片とを備えたものであり、前記保持体本体における左上、右上、左下、及び、右下の角部に、前記矩形シートの角部が挿入され得る左上、右上、左下、及び、右下の保持スリットが形成されたものであり、前記上の表側被覆片が前記左上及び右上の角部の何れか一方を表側から被覆し得るものであり、前記下の表側被覆片が前記左下及び右下の角部の何れか一方を表側から被覆し得るものである冊子である。
【００１２】
請求項２に記載の考案は、前記保持体が、前記保持体本体の上端縁から連設され前記保持体本体の裏面側に添設した上の裏側被覆片と、前記保持体本体の下端縁から連設され前記保持体本体の裏面側に添設した下の裏側被覆片とを備えたものであり、前記上の表側被覆片が前記左上及び右上の角部の何れか一方を表側から被覆し得るものであり、前記上の裏側被覆片が前記左上及び右上の角部の他方を裏側から被覆し得るものであり、前記下の表側被覆片が前記左下及び右下の角部の何れか一方を表側から被覆し得るものであり、前記下の裏側被覆片が前記左下及び右下の角部の他方を裏側から被覆し得るものである請求項１記載の冊子。
【００１３】
請求項３に係る考案は、前記保持体が、左右方向に複数連設されたものである請求項１又は２記載の冊子である。
【００１４】
請求項４に係る考案は、矩形状をなす表表紙及び裏表紙を有したものであり、前記表表紙と前記裏表紙との間に前記保持体が配設されている請求項１、２又は３記載の冊子である。
【考案の効果】
【００１５】
以上説明したように本考案によれば、矩形シートを糊付けすることなく好適に保持し得るとともに当該矩形シートの閲覧性にも優れた冊子を提供することにある。
【図面の簡単な説明】
【００１６】
【図１】本考案の一実施形態を示す斜視図。
【図２】同実施形態における見開き状態の正面図。
【図３】同実施形態における見開き状態の正面図。
【図４】同実施形態における見開き状態の正面図。
【図５】同実施形態における斜視図。
【図６】同実施形態における展開図。
【考案を実施するための形態】
【００１７】
以下、本考案の一実施形態を、図１〜６を参照して説明する。
【００１８】
この実施形態は、本考案を冊子である御朱印帳Ａに適用したものである。御朱印帳Ａは、矩形シートである御朱印シートＳを保持し得る紙製の保持体Ｈ、Ｈ’を複数有している。
【００１９】
ここで、「御朱印シートＳ」は、矩形シート状のものであり、その表面には神社名や寺院名や城名や参拝日・訪問日等が朱印や墨書き等により記されている。
【００２０】
御朱印帳Ａは、矩形状をなす表表紙Ｆ及び裏表紙Ｒと、矩形状をなす御朱印シートＳを保持し得る紙製の保持体Ｈ、Ｈ’を左右方向に複数連設してなる保持体連設体Ｃとを備えてなるものである。保持体連設体Ｃは、表表紙Ｆと裏表紙Ｒとの間に配設されている。
【００２１】
保持体連設体Ｃすなわち左右方向に連設された複数の保持体Ｈ、Ｈ’は、隣り合う保持体Ｈ、Ｈ’同士が折り重なることができるように、ヒンジ機能を有する折り曲げ部ｍを介して連設されている。図５に示すように、折り曲げ部ｍを介して左右方向に連設された複数の保持体Ｈ、Ｈ’は、天板等の載置面Ｔ上に起立し得るように、全体としてつづら折り状ないし蛇腹状の形態を採り得るものとなっている。
【００２２】
保持体Ｈ、Ｈ’は、矩形状をなす保持体本体１と、保持体本体１の上端縁から連設され保持体本体１の表面側に添設した上の表側被覆片２と、保持体本体１の下端縁から連設され保持体本体１の表面側に添設した下の表側被覆片４と、保持体本体１の上端縁における上の表側被覆片２とは異なる位置から連設され保持体本体１の裏面側に添設した上の裏側被覆片３と、保持体本体１の下端縁における下の表側被覆片４とは異なる位置から連設され保持体本体１の裏面側に添設した下の裏側被覆片５とを備えたものである。
【００２３】
保持体本体１は、正面視及び背面視において縦長長方形状をなしたものである。保持体本体１における左上、右上、左下、及び、右下の角部ＬＵ、ＲＵ、ＬＳ、ＲＳには、御朱印シートＳの角部が挿入され得る左上、右上、左下、及び、右下の保持スリットｓ４が形成されている。左上、右上、左下、及び、右下の保持スリットｓ１、ｓ２、ｓ３、ｓ４は、長手方向に交差する方向に保持体本体１における中央部が位置するように傾斜した姿勢をなしている。
【００２４】
上の表側被覆片２は、保持体本体１における左上及び右上の角部ＬＵ、ＲＵの何れか一方を表側から被覆し得るものである。図２〜６における符号Ｈに示す保持体Ｈに基づいて説明すれば、上の表側被覆片２は、保持体本体１における右上の保持スリットｓ２を含む右上の角部ＲＵを表側から被覆し得る構成をなしている。
【００２５】
下の表側被覆片４は、保持体本体１における左下及び右下の角部ＬＳ、ＲＳの何れか一方を表側から被覆し得るものである。図２〜６における符号Ｈに示す保持体Ｈに基づいて説明すれば、下の表側被覆片４は、保持体本体１における左下の保持スリットｓ３を含む左下の角部ＬＳを表側から被覆し得る構成をなしている。
【００２６】
上の裏側被覆片３は、上の表側被覆片２が位置していない左上及び右上の角部ＬＵ、ＲＵの何れか一方を裏側から被覆し得るものである。図２〜６の符号Ｈに示す保持体Ｈに基づいて説明すれば、上の裏側被覆片３は、保持体本体１における左上の保持スリットｓ１を含む左上の角部ＬＵを裏側から被覆し得る構成をなしている。
【００２７】
下の裏側被覆片５は、下の表側被覆片４が位置していない左上及び右上の角部ＬＲ、ＲＵの何れか一方を裏側から被覆し得るものである。図２〜６の符号Ｈに示す保持体Ｈに基づいて説明すれば、下の裏側被覆片５は、保持体本体１における右下の保持スリットｓ４を含む右下の角部ＲＳを裏側から被覆し得る構成をなしている。
【００２８】
保持体Ｈ、Ｈ’は、左右方向に複数連設されたものである。図６の展開図に示すように、保持体連設体Ｃすなわち左右方向に複数連設された複数の保持体Ｈ、Ｈ’は、一枚の紙製のシート材Ｐにより構成されている。
【００２９】
シート材Ｐにおいて、保持体本体１から突設された上の表側被覆片２及び上の裏側被覆片３は交互に配されている。また、上の表側被覆片２及び上の裏側被覆片３は隣り合う保持体本体１間を跨って設けられている。隣り合う保持体Ｈ、Ｈ’における保持体本体１が折り曲げ部ｍを介して折り曲げられると、隣り合う保持体本体１間に跨って設けられた上の表側被覆片２は当該保持体本体１の表面に近接した位置に位置決めされるものとなり、同様に、隣り合う保持体本体１間に跨って設けられた上の裏側被覆片３は当該保持体本体１の裏面に近接した位置に位置決めされるものとなる。
【００３０】
シート材Ｐにおいて、保持体本体１から突設された下の表側被覆片４及び下の裏側被覆片５も交互に配されている。また、下の表側被覆片４及び下の裏側被覆片５も隣り合う保持体本体１間を跨るように設けられている。隣り合う保持体Ｈ、Ｈ’における保持体本体１が折り曲げ部ｍを介して折り曲げられると、隣り合う保持体本体１間に跨って設けられた下の表側被覆片４は当該保持体本体１の表面に近接した位置に位置決めされるものとなり、同様に、隣り合う保持体本体１間に跨って設けられた下の裏側被覆片５は当該保持体本体１の裏面に近接した位置に位置決めされるものとなる。
【００３１】
つまり、図２〜６の符号Ｈで示す保持体Ｈの隣に位置する符号Ｈ’で示す保持体Ｈ’は、上の表側被覆片２及び上の裏側被覆片３の左右の位置関係が逆転したものとなっている。これと同様に、図２〜６の符号Ｈで示す保持体Ｈの隣に位置する符号Ｈ’で示す保持体Ｈ’は、下の表側被覆片４及び下の裏側被覆片５の左右の位置関係が逆転したものとなっている。
【００３２】
本実施形態に係る御朱印帳Ａは、以上に述べた構成を備えたものであるため矩形シートを糊付けすることなく好適に保持し得るとともに当該矩形シートの閲覧性にも優れたものとなる。
【００３３】
すなわち、上の表側被覆片２が保持体本体１の左上及び右上の角部ＬＵ、ＲＵの何れか一方を表側から被覆し得るものであり、他方の角部には露出した保持スリットｓ２、ｓ１が設けられている。さらに、下の表側被覆片４が保持体本体１の左下及び右下の角部ＬＳ、ＲＳの何れか一方を表側から被覆し得るものであり、他方の角部には露出した保持スリットｓ４、ｓ３が設けられている。
【００３４】
このため、本実施形態の御朱印帳Ａであれば、御朱印シートＳの角部を保持体本体１の保持スリットｓ１、ｓ２、ｓ３、ｓ４に係わり合わせて保持し得るだけでなく、上の表側被覆片２と保持体本体１との間に挟んで保持し得るとともに下の表側被覆片４と保持体本体１との間に挟んで保持し得るものとなる。
【００３５】
そして、保持体Ｈ、Ｈ’は、表面側だけでなく裏面側にも同様の構成を備えたものとなるため、御朱印シートＳを表面側に保持させるだけでなく別の御朱印シートＳを裏面側にも保持させることができるものとなっている。
【００３６】
なお、例えば、保持体Ｈの表面側だけに御朱印シートＳを保持させる場合には、上の表側被覆片２に覆われた右上の保持スリットｓ２や下の表側被覆片４に覆われた左下の保持スリットｓ３にも御朱印シートＳの角部を挿入することができ、御朱印シートＳの保持機能を向上させることができるものとなっている。
【００３７】
また、保持体本体１は紙製であるため、当該保持体本体１に対して直接的に御朱印を記載・押印等させることも柔軟にできるものとなっている。換言すれば、御朱印シートＳを取り扱わない寺社等（御朱印帳に直接印や書を書き記す寺社や城等）であっても、本考案に係る御朱印帳Ａであれば柔軟に御朱印を得ることができるものとなっている。
【００３８】
なお、本考案は、以上に詳述した実施形態に限られるものではない。
【００３９】
冊子は、上述した実施形態として述べた御朱印帳に限られるものではないのはもちろんのことである。
【００４０】
冊子は、必ずしも、上の裏側被覆片や下の裏側被覆片を設けていないものであってもよい。
【００４１】
冊子は、保持体を有してなるものであればよく、表表紙や裏表紙を備えていないものであってもよい。
【００４２】
その他、各部の具体的構成についても上記実施形態に限られるものではなく、本考案の趣旨を逸脱しない範囲で種々変形が可能である。
【符号の説明】
【００４３】
Ａ…御朱印帳（冊子）
Ｆ…表表紙
Ｈ…保持体
Ｒ…裏表紙
Ｓ…御朱印シート（矩形シート）
【図１】
0003226091.tif 000003
【図２】
0003226091.tif 000004
【図３】
0003226091.tif 000005
【図４】
0003226091.tif 000006
【図５】
0003226091.tif 000007
【図６】
0003226091.tif 000008